(57)【要約】【課題】研修時に、介護者としての基本的な各種の疑似体験を得るための下肢片側麻痺疑似体験用装着セットを提供する。【解決手段】下肢片側麻痺の身体障害者の身体状況を、介護者の疑似体験として、身体への装着具で理解するために、疑似体験用装着セットとして、外側に足裏が傾くように、かつ、足首が後側に１００ないし１１０度、好ましくは、後側に１０４ないし１０６度傾くように、足首および足を保持し、固定バンドで固定する構造をもった下肢装具を装備したことを特徴とする。【選択図】図４
0003103540.tif 000002
【実用新案登録請求の範囲】
【請求項１】
下肢片側麻痺の身体状況を、介護者の疑似体験として身体への装着具で理解するための片側麻痺疑似体験用装着セットであって、外側に足裏が傾くように、かつ、足首が後側に１００ないし１１０度、好ましくは、後側に１０４ないし１０６度傾くように、足首および足を保持し、固定バンドで固定する構造をもった下肢装具を装備したことを特徴とする下肢片側麻痺疑似体験用装着セット。
【請求項２】
前記下肢装具は、足、足首、下肢を固定ベルトで拘束する固定バンドを装備していることを特徴とする、請求項１に記載の下肢片側麻痺疑似体験用装着セット。
【考案の詳細な説明】
【技術分野】
【０００１】
本考案は、下肢片側麻痺の身体障害者の身体状況を、介護者の疑似体験として、身体への装着具で理解するための下肢片側麻痺疑似体験用装着セットに関するものである。
【背景技術】
【０００２】
下肢片側麻痺の身体障害者を介護する立場の者は、比較的若い健常者である場合が多く、実感として、下半身麻痺による身体的な不自由さを理解することが難しい。この点を疑似体験させることは、介護者にとってはなはだ有効である。
【０００３】
しかしながら、従来から、手・足、視覚・聴覚などの個々の疾患部についての、高齢者疑似体験用装着具が提唱されているが、介護者の研修用に、下肢片側麻痺の身体障害者の体験用具として、構成したものがなかった。
【考案の開示】
【考案が解決しようとする課題】
【０００４】
本考案は、上記事情に基づいてなされたもので、その目的とするところは、研修時に、介護者としての、下肢片側麻痺の身体障害者の基本的な疑似体験を得るための片側麻痺疑似体験用装着セットを提供することを目的とする。
【課題を解決するための手段】
【０００５】
この目的達成のために、本考案では、下肢片側麻痺の身体状況を、介護者の疑似体験として身体への装着具で理解するための片側麻痺疑似体験用装着セットであって、外側に足裏が傾くように、かつ、足首が後側に１００ないし１１０度、好ましくは、後側に１０４ないし１０６度傾くように、足首および足を保持し、固定バンドで固定する構造をもった下肢装具を装備したことを特徴とする。
【０００６】
また、本考案の好ましい実施例として、前記下肢装具は、足、足首、下肢を固定ベルトで拘束する固定バンドを装備していることが、有効である。
【考案の効果】
【０００７】
このような疑似体験用装着セットを用いることで、介護の研修に際して、下肢片側麻痺の身体障害者の介護についての疑似体験を基本的に得ることができる。これにより、研修の成果を向上することができ、効率的に、介護者の養成ができる。
【考案を実施するための最良の形態】
【０００８】
以下、本考案の下肢片側麻痺疑似体験用装着セットについて、図示の実施例を参照して、具体的に説明する。
【実施例１】
【０００９】
本考案の装着セットは、その基本部分として、下肢片側麻痺の身体状況を、介護者の疑似体験として身体への装着具で理解するための片側麻痺疑似体験用装着セットであって、下肢片側麻痺の身体状況を、介護者の疑似体験として身体への装着具で理解するための片側麻痺疑似体験用装着セットであって、外側に足裏が傾くように、かつ、足首が後側に１００ないし１１０度、好ましくは、後側に１０４ないし１０６度傾くように、足首および足を保持し、固定バンド１、２、３で固定する構造をもった下肢装具４を装備している。
【００１０】
そして、麻痺を予想する片側の足に下肢装具４を当て、固定バンド１、２、３で足、足首、下肢を拘束する。これにより、起立、歩行の際の、動きの鈍さ、不便さ、痛感などの下半身麻痺の実体験が可能となる。なお、歩行動作の補助として、杖５を用具に加えておくとよい。
【００１１】
なお、本考案の下肢片側麻痺の疑似体験用セットとして、下肢装具４を用いるが、以下に述べる上半身麻痺の疑似体験用セットと共用してもよい。
【００１２】
上半身片側麻痺の身体状況を、介護者の疑似体験として身体への装着具で理解するための上半身片側麻痺疑似体験用装着セットとしては、胴脇に第１のファスナー部材６を設けたベルト状サポータ７と、肘を中心として腕周りに巻きつけて、バンド８で固定する肘サポータ９とからなる構造が採用される。
【００１３】
なお、ここでは、ベルト状サポータ７は、中央に腰当となる幅広い部分７Ａがあり、そこに、ファスナー部材６（この実施例では、雌・雄で結合する面ファスナーの片方）を装着し、また、一端側に延びる２本のベルト部分７Ｂの先端側に雌・雄で結合する面ファスナー１０を設け、更に、これらファスナーがある面とは反対側の面において、他端側に延びる１本の幅広なベルト部分７Ｃの先端側に面ファスナー１０に着脱可能に固定される他方の面ファスナー１１が設けられている。
【００１４】
また、肘サポータ９は、要すれば、サポータの長手方向に伸びる細いアルミロッド（若干の柔軟性を持たせている）からなるシーネ（添え木：図示せず）などを備えたサポータ本体９Ａおよびこれから延びる前述のバンド８に、雌・雄で結合する面ファスナー１２、１３を設けたものである。更に、肘サポータ９は第１のファスナー部材６に対応するために、第２のファスナー部材６Ａ（この実施例では、雌・雄で結合する面ファスナーの他方）を備えている。
【００１５】
このような構成では、麻痺を予想する身体の上半身片側の脇に腰当を位置させて、ベルト部分５Ｂ、５Ｃを胴に回して、面ファスナー１０、１１により、ベルト状サポータ７を身体に装着し、また、対応する片側の肘の位置に肘サポータ９を当て（この場合、ベルト状サポータ７の腰当にあるファスナー部材６に対向するように、ファスナー部材８の位置を決める）、面ファスナー１２、１３により、肘サポータ９を腕に固定する。そして、ファスナー部材６にファスナー部材８を着脱自在に固定することで、肘サポータ９をベルト状サポータ７に支持させる。これによって、片腕が麻痺した身体障害者と同様に、片腕の動きが拘束されて、起立、歩行の際の、動きの鈍さ、不便さ、痛感などの半身麻痺の実体験が可能となる。
【００１６】
下半身片側麻痺の実体験に加えて、起立、歩行の際、上半身片側麻痺の実体験ができる。
【産業上の利用可能性】
【００１７】
本考案の下肢片側麻痺の身体障害者に係る疑似体験用装着セットは、その拘束の程度に、例えば、その足首部分の後側への角度などを調整可能するなどの構造上の工夫を加えることで、障害の重度に合わせた実体験（研修）にも有効である。
【図面の簡単な説明】
【００１８】
【図１】本考案の装着セットの一部としての、下肢装具の正面及び側面図である。
【図２】同じく、装着セットの一部としての、ベルト状サポータの正面及び背面図である。
【図３】同じく、装着セットの一部としての、肘サポータの正面及び背面図である。
【図４】本考案の装着セットを用いた状態を示す使用態様の説明図である。
【符号の説明】
【００１９】
１、２、３    固定バンド
４    下肢装具
５    杖
６    第１のファスナー部材
６Ａ    第２のファスナー部材
７    ベルト状サポータ
７Ａ    幅広い部分
７Ｂ、７Ｃ    ベルト部分
８    バンド
９    肘サポータ
９Ａ    サポータ本体
１０、１１    面ファスナー
１２、１３    面ファスナー
【図１】
0003103540.tif 000003
【図２】
0003103540.tif 000004
【図３】
0003103540.tif 000005
【図４】
0003103540.tif 000006
【手続補正書】
【提出日】平成16年4月16日(2004.4.16)
【手続補正１】
【補正対象書類名】実用新案登録請求の範囲
【補正対象項目名】全文
【補正方法】変更
【補正の内容】
【実用新案登録請求の範囲】
【請求項１】
下肢片側麻痺の身体状況を、介護者の疑似体験として身体への装着具で理解するための片側麻痺疑似体験用装着セットであって、外側に足裏が傾くように、かつ、足首が後側に１００ないし１１０度傾くように、足首および足を保持し、固定バンドで固定する構造をもった下肢装具を装備したことを特徴とする下肢片側麻痺疑似体験用装着セット。
【請求項２】
下肢片側麻痺の身体状況を、介護者の疑似体験として身体への装着具で理解するための片側麻痺疑似体験用装着セットであって、外側に足裏が傾くように、かつ、足首が後側に１０４ないし１０６度傾くように、足首および足を保持し、固定バンドで固定する構造をもった下肢装具を装備したことを特徴とする下肢片側麻痺疑似体験用装着セット。
【請求項３】
前記下肢装具は、足、足首、下肢を固定ベルトで拘束する固定バンドを装備していることを特徴とする、請求項１または２に記載の下肢片側麻痺疑似体験用装着セット。